(57)【要約】【課題】ウエブ巻取り軸のウエブロール押圧装置として、空気の巻き込みの規制をウエブロール全体にわたって均一に行うことができ、かつ押圧ローラ直前のウエブガイドローラからのびるウエブに皺類が生じにくいものを提供する。【解決手段】巻取り軸１２に平行にのびる揺動基軸１６に、先端部にローラ支持アーム取付け軸２２を固定した一対の揺動フレーム２１を固定し、ローラ支持アーム取付け軸２１の反巻取り軸側に、先端部に押圧ローラ３１を支持する複数対のローラ支持アーム３０を、揺動フレーム２１に対して巻取り軸側に鈍角でのびるように取付け、かつ揺動フレーム２１の先端部の巻取り軸側に、ウエブガイドローラ２３を支持する。【選択図】        図２
2004359355.tif 000002
【特許請求の範囲】
【請求項１】
巻取り軸に平行にのびる揺動基軸に、先端部にローラ支持アーム取付け軸を固定した一対の揺動フレームの基端部を固定し、該ローラ支持アーム取付け軸に、それぞれ先端部に押圧ローラを支持する複数対のローラ支持アームの基端部を、ローラ支持アームが揺動フレームに対して巻取り軸側に鈍角でのびるように取付け、かつ一対の揺動フレームの先端部に、ウエブを反巻取り軸側を通して押圧ローラに誘導可能なウエブガイドローラを支持してなる、ウエブ巻取り機のウエブロール押圧装置。
【請求項２】
ローラ支持アームを、ローラ支持アーム取付け軸に、押圧ローラが巻取り軸に対して接離する方向に僅小角度揺動可能に取付けるとともに、ローラ支持アームに、常に押圧ローラが巻取り軸に接近する方向に揺動付勢するばねを係合してなる、請求項１記載のウエブ巻取り機のウエブロール押圧装置。
【発明の詳細な説明】
【０００１】
【発明の属する技術分野】
この発明は、特にスリットした複数条のウエブを、巻取り軸に軸方向に間隔をおいて装着した複数の巻心に同時に巻取って、複数のウエブロールを形成するウエブ巻取り機において、形成中の各ウエブロールにおけるウエブ層間への空気の巻き込みを抑制して、各ウエブロールを崩れのない巻姿にするために用いるウエブロール押圧装置の改良に関するものである。
【０００２】
【従来の技術】
周知のように、この種のスリットした複数条のウエブを同時に巻取るウエブ巻取り機におけるウエブロール押圧装置は、巻取り軸に平行にのびる揺動基軸に、それぞれ先端部に押圧ローラ（タッチローラ）を支持する複数対の揺動ローラ支持アームの基端部を取付けた構造からなっており、揺動基軸近傍に設けた定置のウエブガイドローラから形成中の各ウエブロールの外周部に誘導した各ウエブに、各押圧ローラを押圧係合するという形態で空気の巻き込みを抑制している（例えば、特許文献１参照）。
【０００３】
【特許文献１】
実開平３−８５３４５号公報
【０００４】
【発明が解決しようとする課題】
しかるにこの周知のウエブロール押圧装置の使用形態においては、形成中のウエブロールに誘導したウエブは、押圧ローラによって押圧される前に、ウエブロールに相当長巻き付いて、相当量の空気を巻き込んでいるとともに、この押圧ローラで押圧されるまでにウエブロールに巻き付くウエブの長さは、ウエブロールの巻径の変化に伴って変動するため、押圧ローラによる空気の巻き込みの抑制を、ウエブロールの全体にわたって均一にすることが難しいほか、押圧ローラからその直前のウエブガイドローラまでの距離が比較的長いため、この間を誘導中のウエブに皺類が発生しやすいという問題がある。
【０００５】
この発明は、上記のような問題に鑑み、形成中のウエブロールにおける空気の巻き込みの抑制を、その全体にわたって均一に行うことが可能であるとともに押圧ローラからその直前のウエブガイドローラまでの距離が短く、従ってこの間をのびるウエブに皺類が生じにくいウエブロール押圧装置を提供することを課題としている。
【０００６】
【課題を解決するための手段】
この発明に係るウエブロール押圧装置は、請求項１に記載のように、巻取り軸に平行にのびる揺動基軸に、先端部にローラ支持アーム取付け軸を固定した一対の揺動フレームの基端部を固定し、該ローラ支持アーム取付け軸に、それぞれ先端部に押圧ローラを支持する複数対のローラ支持アームの基端部を、ローラ支持アームが揺動フレームに対して巻取り軸側に鈍角でのびるように取付け、かつ一対の揺動フレームの先端部に、ウエブを反巻取り軸側を通して押圧ローラに誘導可能なウエブガイドローラを支持した構成からなる。
【０００７】
この発明のウエブロール押圧装置においては、各ウエブは、揺動基軸近傍の定置のウエブガイドローラから一対の揺動フレームの先端部に支持したウエブガイドローラの反巻取り軸側を通して、各押圧ローラに直接誘導するという形態、すなわち押圧ローラによる押圧前におけるウエブのウエブロールに対する不巻き付きと押圧ローラとその直前のウエブガイドローラの間のウエブの短距離誘導の形態で、形成中のウエブロールに巻取られる。なお装置全体は、ウエブロールの巻径の増大に対応して、揺動基軸の軸線周りに揺動し、押圧ローラによるウエブロールに対する押圧力を一定に維持する。
【０００８】
このウエブロール装置におけるローラ支持アームは、請求項２に記載したように、ローラ支持アーム取付け軸に、押圧ローラが巻取り軸に対して接離する方向に僅小角度揺動可能に取付けるとともに、常に押圧ローラが巻取り軸に接近する方向に揺動付勢するばねを係合させることができる。
【０００９】
このローラ支持アームの僅小角度の揺動と巻取り軸側へのばね付勢構成により、常に押圧ローラがウエブロールに押圧係合可能にすることができる。
【００１０】
【発明の実施の形態】
以下図面に基づいて、この発明に係るウエブロール押圧装置の一実施形態について説明する。
【００１１】
複数の巻心１３を軸方向に間隔をおいて装着した巻取り軸１２に平行にのびる揺動基軸１６は、巻取り軸１２と同様に両端部が機枠１１に回転自在に支持してあるとともに、一端にエアシリンダ１８のロッド１９に連結した揺動レバー１７が固定してあり、エアシリンダ１８のロッド１９の進退（伸縮）による揺動レバー１７の揺動を介して、その軸線周りに回動するようになっている。
【００１２】
揺動基軸１６には、その実質部に、プレウエブガイドローラ２０が同心的に回転自在に支持してあり、このプレウエブガイドローラ２０の各端と機枠１１による支持部の間の部分には、揺動基軸１６に直交して互いに平行にのびる一対の揺動フレーム２１の基端部が固定してある。
【００１３】
一対の揺動フレーム２１の先端部には、反巻取り軸（反ウエブロール）側に、揺動基軸１６と平行にのびるローラ支持アーム取付け軸２２の各端部が固定してある一方、巻取り軸１２側（ウエブロール側）に、同じように揺動基軸１６と平行にのびるウエブガイドローラ２３の各端部が回転自在に支持してある。
【００１４】
ローラ支持アーム取付け軸２２には、それぞれ先端部に各ウエブロール１４に係合可能な押圧ローラ３１を回転自在に支持する複数対のローラ支持アーム３０の各基部が、ローラ支持アーム取付け軸２２に直交してのびる軸取付けブラケット２５を介して、ローラ支持アーム３０が揺動フレーム２１に対して巻取り軸１２側に鈍角でのびるように取付けてある。
【００１５】
軸取付けブラケット２５は、基端部が、ローラ支持アーム取付け軸２２と同心形のクランプねじ２６付きの軸嵌合部として形成してあり、ローラ支持アーム取付け軸２２に沿って移動して任意の位置に固定可能である一方、先端部に側部に突出するアーム揺動規制用ピン２７を備えている。
【００１６】
各ローラ支持アーム３０は、基端部がローラ軸支持アーム取付け軸２２と同心形で、軸取付けブラケット２５の軸嵌合部としての基端部の軸方向の中央外周部に、巻取り軸１２、従って各ウエブロール１４に対して接離する方向に揺動可能に嵌合させてあるとともに、基部の軸取付けブラケット２５のピン２７の対向部を含む部位に、アーム揺動規制用溝孔（図示せず）が形成してあり、この溝孔に対する軸取付けブラケット２５のピン２７の嵌挿により、その揺動角度が小角度の範囲に規制してある一方、溝孔内には、ピン２７に係合するコイルばね３２が内装してあり、このコイルばね３２とピン２７との係合により、巻取り軸１２、従ってウエブロール１４に接近する方向に揺動するように付勢してある。
【００１７】
この図示の形態においては、スリットした各ウエブ１５は、揺動基軸１６近くの定置のウエブガイドローラから、揺動基軸１６上のプレウエブガイドローラ２０の巻取り軸側（ウエブロール側）及び一対の揺動フレーム２１の先端部のウエブガイドローラ２３の反巻取り軸側（反ウエブロール側）を通して、押圧ローラ３１のウエブロール１４に対する押圧係合部に誘導されて、ウエブロール１４の最外層ウエブとして巻き取られる。
【００１８】
この際各押圧ローラ３１は、コイルばね３２によるローラ支持アーム３０のウエブロール１４側への揺動付勢によって、常にウエブロール１４に押圧係合するとともに、ウエブロール１４の直径の増大に対応したエアシリンダ１８のロッド１９の後退操作により、揺動基軸１６の回動、一対の揺動フレーム２１及び各対のローラ支持アーム３０の揺動を介して、各押圧ローラ３１の形成中の各ウエブロール１４に対する押圧力は実質上一定に維持される。
【００１９】
この発明のウエブロール押圧装置は、このほか種々の形態で実施することができるもので、上記の形態に限定されるものではない。
【００２０】
【発明の効果】
以上説明したように、請求項１に記載したこの発明に係るウエブロールの押圧装置によれば、各ウエブは常に形成中の各ウエブロールに巻き付くことなく各押圧ローラの押圧係合部に誘導されるので、各押圧ローラによる空気の巻き込みの抑制を、各ウエブロール全体にわたって均一に行うことができ、従って各ウエブロールの巻き崩れが生じにくいとともに、各押圧ローラとその直前のウエブガイドローラとの間の距離が短いので、この間を誘導される各ウエブに皺類が発生する恐れもない。
【００２１】
また請求項２に記載した各対のローラ支持アームの巻取り軸側、従って各ウエブロール側への僅少角度の揺動付勢構成によれば、常に各押圧ローラの各ウエブロールに対する押圧係合を確保することができる。
【図面の簡単な説明】
【図１】この発明に係るウエブロール押圧装置の一実施形態の全貌を一部を変形して示した略平面図である。
【図２】図１に示す実施形態の要部の略側面図である。
【符号の説明】
１１  機枠
１２  巻取り軸
１３  巻心
１４  ウエブロール
１５  ウエブ
１６  揺動基軸
１７  揺動レバー
１８  エアシリンダ
１９  ロッド
２０  プレウエブガイドローラ
２１  揺動フレーム
２２  ローラ支持アーム取付け軸
２３  ウエブガイドローラ
２５  アーム取付けブラケット
２６  クランプねじ
２７  アーム揺動規制用ピン
３０  ローラ支持アーム
３１  押圧ローラ
３２  コイルばね
【図１】
2004359355.tif 000003
【図２】
2004359355.tif 000004